【手続補正書】
【提出日】平成28年12月9日(2016.12.9)
【手続補正１】
【補正対象書類名】特許請求の範囲
【補正対象項目名】全文
【補正方法】変更
【補正の内容】
【特許請求の範囲】
【請求項１】
ミクロフィブリル化セルロースおよび任意に無機粒状物質を含む組成物であって、該組成物が、(i) 該組成物中のセルロース系物質の全質量を基準として、2.0質量％以下の、10nm未満のフィブリル径を持つセルロースフィブリル；および/または(ii) 該組成物中のセルロース系物質の全質量を基準として、20質量％以下の、100nm未満のフィブリル径を持つセルロースフィブリルを含む、前記組成物。
【請求項２】
無機粒状物質を含む、請求項1記載の組成物。
【請求項３】
前記組成物が、(i) 1.5質量％以下の、10nm未満のフィブリル径を持つセルロースフィブリル；および/または(ii) 15質量％以下の、100nm未満のフィブリル径を持つセルロースフィブリルを含む、請求項1または2記載の組成物。
【請求項４】
前記組成物が、1.0質量％以下の、10nm未満のフィブリル径を持つセルロースフィブリルを含む、請求項1〜3の何れか1項に記載の組成物。
【請求項５】
前記組成物中のセルロース系物質の全質量を基準として、140nm〜700nmのフィブリル径d50を持つ、請求項1〜4の何れかに記載の組成物。
【請求項６】
前記無機粒状物質が、アルカリ土類金属炭酸塩または硫酸塩、含水カンダイトクレー、無水(焼成)カンダイトクレー、タルク、マイカ、パーライトまたは珪藻土、またはこれらの組合せである、請求項1〜5の何れかに記載の組成物。
【請求項７】
前記無機粒状物質が、アルカリ土類金属炭酸塩であり、前記アルカリ土類金属炭酸塩が炭酸カルシウムである場合、該炭酸カルシウムの少なくとも50質量％が、2μm未満のe.s.dを有してもよい、請求項1〜6の何れかに記載の組成物。
【請求項８】
ブロックフィールド粘度(10rpm、およびフィブリル含有率1.5質量％における)7,000〜10,000MPa.sを持つ、請求項1〜7の何れかに記載の組成物。
【請求項９】
前記組成物が、粉砕媒体の存在下、および任意に無機粒状物質の存在下で、セルロース含有繊維質基材をミクロフィブリル化する工程を含む方法によって得ることができ、また該ミクロフィブリル化工程中のエネルギー投入量が、セルロース含有繊維質基材1トン当たり500〜10,000kWh(kWh/t)である、請求項1記載の組成物。
【請求項１０】
前記ミクロフィブリル化工程が、前記無機粒状物質および粉砕媒体の存在下で、前記繊維質基材を粉砕する工程を含む、請求項9記載の組成物。
【請求項１１】
前記粉砕が、垂直ミル内で行われる、請求項10記載の組成物。
【請求項１２】
請求項1〜11の何れかに記載の組成物を含む、製紙組成物。
【請求項１３】
紙製品であって、該紙製品が、(i) 請求項1〜11の何れか1項に記載の組成物を含むか、または(ii) 請求項12記載の製紙組成物から得られるものである、前記紙製品。
【請求項１４】
請求項1記載の組成物の製造方法であって、粉砕媒体の存在下で、および任意に無機粒状物質の存在下で、セルロース含有繊維質基材をミクロフィブリル化し、ミクロフィブリル化セルロースおよび任意に無機粒状物質を含む組成物を得る工程を含み、該ミクロフィブリル化工程中のエネルギー投入量が、セルロース含有繊維質基材1トン当たり500〜10,000kWh(kWh/t)であり、該組成物が(i) 該組成物中のセルロース系物質の全質量を基準として、2.0質量％以下の、10nm未満のフィブリル径を持つセルロースフィブリル；および/または(ii) 該組成物中のセルロース系物質の全質量を基準として、20質量％以下の、100nm未満のフィブリル径を持つセルロースフィブリルを含む、前記方法。
【請求項１５】
前記ミクロフィブリル化工程が、前記無機粒状物質および粉砕媒体の存在下で、前記繊維質基材を粉砕する工程を含み、前記粉砕が垂直ミル内で行われてもよい、請求項14記載の方法。
【手続補正２】
【補正対象書類名】明細書
【補正対象項目名】００４７
【補正方法】変更
【補正の内容】
【００４７】
上記コントロールの手漉き紙は、破裂強さ38を有していた。
本発明のまた別の態様は、以下のとおりであってもよい。
〔１〕ミクロフィブリル化セルロースおよび任意に無機粒状物質を含む組成物であって、該組成物が、(i) 該組成物中のセルロース系物質の全質量を基準として、約5.0質量％以下の、10nm未満のフィブリル径を持つセルロースフィブリル；および/または(ii) 該組成物中のセルロース系物質の全質量を基準として、約30質量％以下の、100nm未満のフィブリル径を持つセルロースフィブリルを含む、前記組成物。
〔２〕無機粒状物質を含む、前記〔1〕記載の組成物。
〔３〕前記組成物が、(i) 約2.0質量％以下の、10nm未満のフィブリル径を持つセルロースフィブリル；および/または(ii) 約20質量％以下の、100nm未満のフィブリル径を持つセルロースフィブリルを含む、前記〔1〕または〔2〕記載の組成物。
〔４〕前記組成物が、(i) 約1.5質量％以下の、10nm未満のフィブリル径を持つセルロースフィブリル；および/または(ii) 約15質量％以下の、100nm未満のフィブリル径を持つセルロースフィブリルを含む、前記〔1〕、〔2〕または〔3〕記載の組成物。
〔５〕前記組成物が、約1.0質量％以下の、10nm未満のフィブリル径を持つセルロースフィブリルを含む、前記〔1〕〜〔4〕の何れか1項に記載の組成物。
〔６〕前記組成物中のセルロース系物質の全質量を基準として、約100nm〜約700nmのフィブリル径d50を持つ、前記〔1〕〜〔5〕の何れかに記載の組成物。
〔７〕前記無機粒状物質が、アルカリ土類金属炭酸塩または硫酸塩、例えば炭酸カルシウム、炭酸マグネシウム、ドロマイト、石膏、含水カンダイトクレー、例えばカオリン、ハロイサイトまたはボールクレー、無水(焼成)カンダイトクレー、例えばメタカオリンまたは完全に焼成されたカオリン、タルク、マイカ、パーライトまたは珪藻土、またはこれらの組合せである、前記〔1〕〜〔6〕の何れかに記載の組成物。
〔８〕前記無機粒状物質が、アルカリ土類金属炭酸塩、例えば炭酸カルシウムであり、任意に該炭酸カルシウムの少なくとも約50質量％が、約2μm未満のe.s.dを持つ、前記〔1〕〜〔7〕の何れかに記載の組成物。
〔９〕ブロックフィールド粘度(10rpm、およびフィブリル含有率1.5質量％における)約500〜12,000MPa.s、例えば約7,000〜10,000MPa.sを持つ、前記〔1〕〜〔8〕の何れかに記載の組成物。
〔１０〕前記組成物が、粉砕媒体の存在下、および任意に無機粒状物質の存在下で、セルロース含有繊維質基材をミクロフィブリル化する工程を含む方法によって得ることができ、また該ミクロフィブリル化工程中のエネルギー投入量が、セルロース含有繊維質基材1トン当たり約500〜20,000kWh(kWh/t)、例えば約1,250〜10,000kWh/tまたは例えば約1,750〜4,000kWh/tである、前記〔1〕記載の組成物。
〔１１〕前記ミクロフィブリル化工程が、前記無機粒状物質および粉砕媒体の存在下で、前記繊維質基材を粉砕する工程を含む、前記〔10〕記載の組成物。
〔１２〕前記粉砕が、垂直ミル内で行われる、前記〔11〕記載の組成物。
〔１３〕前記〔1〕〜〔12〕の何れか1項に記載の組成物を含む、製紙組成物。
〔１４〕紙製品であって、該紙製品が、(i) 前記〔1〕〜〔12〕の何れか1項に記載の組成物を含むか、または(ii) 前記〔13〕記載の製紙組成物から得られるものである、前記紙製品。
〔１５〕前記〔1〕記載の組成物の製造方法であって、粉砕媒体の存在下で、および任意に無機粒状物質の存在下で、セルロース含有繊維質基材をミクロフィブリル化し、ミクロフィブリル化セルロースおよび任意に無機粒状物質を含む組成物を得る工程を含み、該ミクロフィブリル化工程中のエネルギー投入量が、セルロース含有繊維質基材1トン当たり約500〜20,000kWh(kWh/t)、例えば約1,250〜10,000kWh/tまたは例えば約1,750〜4,000kWh/tであり、該組成物が(i) 該組成物中のセルロース系物質の全質量を基準として、約5.0質量％以下の、10nm未満のフィブリル径を持つセルロースフィブリル；および/または(ii) 該組成物中のセルロース系物質の全質量を基準として、約30質量％以下の、100nm未満のフィブリル径を持つセルロースフィブリルを含む、前記方法。
〔１６〕前記ミクロフィブリル化工程が、前記無機粒状物質および粉砕媒体の存在下で、前記繊維質基材を粉砕する工程を含む、前記〔15〕記載の方法。
〔１７〕前記粉砕が、垂直ミル内で行われる、前記〔16〕記載の方法。